(57)【要約】【課題】  移動体通信端末から外部リモート装置へのコンテンツ再生信号の送受信を継続している状態で、外部リモート装置の簡易な操作によって特定の発信先に移動体通信端末から電話の発呼ができる外部リモート装置及び通信方法を提供する。【解決手段】  本移動体通信端末（携帯電話機）１０から外部リモート装置２０へのオーディオコンテンツ再生信号の送受信を継続した状態で、外部リモート装置２０に設けられた電話発呼開始用のキー２２６ａが操作されたとき、外部リモート装置２０は、その電話発呼開始用のキー２２６ａに割り当てられた特定の発信先を指定する発信先指定情報とともに発呼要求を移動体通信端末１０へ送信する。移動体通信端末１０は、外部リモート装置２０から発信先指定情報とともに発呼要求を受信したとき、上記発信先指定情報で指定された発信先に対して電話の発呼を行う。【選択図】  図１
2006050381.tif 000002
【特許請求の範囲】
【請求項１】
移動体通信端末と通信可能な外部リモート装置であって、
特定の発信先に対する電話の発呼を指示する電話発呼開始用に予め割り当てられた少なくとも一つのキーを有する操作手段と、
移動体通信端末との間で近距離用非公衆無線通信の通信リンクを確立して通信を行う通信インターフェース手段と、
オーディオ又はビデオのコンテンツのデータを連続的に再生処理したコンテンツ再生信号を該移動体通信端末から連続的に受信している状態で、該操作手段の該電話発呼開始用のキーを利用者が操作したとき、該電話発呼開始用のキーに割り当てられた特定の発信先を指定する発信先指定情報とともに発呼要求を該移動体通信端末へ送信するように、該通信インターフェース手段を制御する制御手段と、
該コンテンツ再生信号を出力するコンテンツ再生信号出力手段とを備えたことを特徴とする外部リモート装置。
【請求項２】
請求項１の外部リモート装置において、
上記操作手段は、互いに異なる特定の発信先に対して電話の発呼を指示する電話発呼開始用に予め割り当てられた複数のキーを有することを特徴とする外部リモート装置。
【請求項３】
請求項１又は２の外部リモート装置において、
上記操作手段のキーは、上記コンテンツ再生信号の出力に関する再生出力制御指示と上記電話の発呼指示とに兼用され、
該再生出力制御指示と該発呼指示との間で該キーに対する操作内容を異ならせたことを特徴とする外部リモート装置。
【請求項４】
移動体通信ネットワークを介して通信可能な移動体通信端末と、該移動体通信端末とは別体の外部リモート装置との間の通信方法であって、
該移動体通信端末及び該外部リモート装置が、それらの間の通信を行うための近距離用非公衆無線通信の通信リンクを確立するステップと、
該移動体通信端末が、オーディオ又はビデオのコンテンツのデータを連続的に再生処理してコンテンツ再生信号を生成し、該外部リモート装置に該コンテンツ再生信号を連続的に送信するステップと、
該外部リモート装置が、該移動体通信端末から該コンテンツ再生信号を連続的に受信して出力するステップと、
該コンテンツ再生信号の送受信を継続した状態で、該外部リモート装置に設けられた電話発呼開始用のキーが操作されたとき、該外部リモート装置が、該電話発呼開始用のキーに割り当てられた特定の発信先を指定する発信先指定情報とともに発呼要求を該移動体通信端末へ送信するステップと、
該移動体通信端末が、該外部リモート装置から該発信先指定情報とともに発呼要求を受信したとき、該発信先指定情報で指定された発信先に対して電話の発呼を行うステップとを有することを特徴とする通信方法。
【発明の詳細な説明】
【技術分野】
【０００１】
本発明は、近距離用非公衆無線通信によって携帯電話機等の移動体通信端末と通信可能な外部リモート装置、及び移動体通信端末と外部リモート装置との間の通信方法に関するものである。
【背景技術】
【０００２】
従来、この種の移動体通信端末として、音楽のコンテンツを再生してヘッドホンから出力することができる携帯電話機が知られている（例えば特許文献１参照）。この携帯電話機では、記憶媒体に記憶されている音楽のコンテンツデータを所定の復号化処理を施し、アナログの音楽オーディオ信号を生成する。この音楽オーディオ信号を、携帯電話機にケーブルで接続されているヘッドホンに供給することにより、携帯電話機の利用者はヘッドホンから出力される音楽を楽しむことができる。
また、音楽等のコンテンツを連続的に再生処理して生成したコンテンツ再生信号をヘッドホンセット等の外部リモート装置へ無線通信で送信して出力する携帯電話機も知られている（特許文献２参照）。この携帯電話機では、携帯電話機本体とヘッドホンセット等の外部リモート装置とをケーブルで接続する必要がないため、使い勝手がよい。
【特許文献１】特開２００３−０４６６０３号公報
【特許文献２】特開２００４−１２０６５１号公報
【発明の開示】
【発明が解決しようとする課題】
【０００３】
上記特許文献２に記載の携帯電話機のようにコンテンツ再生信号を無線送信して外部リモート装置から出力する場合、そのコンテンツ再生信号の送受信を継続した状態で、外部リモート装置の簡易な操作によって特定の発信先に携帯電話機から電話の発呼ができると便利である。
【０００４】
本発明は以上の背景のもとでなされたものである。その目的は、移動体通信端末から外部リモート装置へのコンテンツ再生信号の送受信を継続している状態で、外部リモート装置の簡易な操作によって特定の発信先に移動体通信端末から電話の発呼ができる外部リモート装置、及び移動体通信端末と外部リモート装置との間の通信方法を提供することである。
【課題を解決するための手段】
【０００５】
上記目的を達成するために、請求項１の発明は、移動体通信端末と通信可能な外部リモート装置であって、特定の発信先に対する電話の発呼を指示する電話発呼開始用に予め割り当てられた少なくとも一つのキーを有する操作手段と、移動体通信端末との間で近距離用非公衆無線通信の通信リンクを確立して通信を行う通信インターフェース手段と、オーディオ又はビデオのコンテンツのデータを連続的に再生処理したコンテンツ再生信号を該移動体通信端末から連続的に受信している状態で、該操作手段の該電話発呼開始用のキーを利用者が操作したとき、該電話発呼開始用のキーに割り当てられた特定の発信先を指定する発信先指定情報とともに発呼要求を該移動体通信端末へ送信するように、該通信インターフェース手段を制御する制御手段と、該コンテンツ再生信号を出力するコンテンツ再生信号出力手段とを備えたことを特徴とするものである。
また、請求項２の発明は、請求項１の外部リモート装置において、上記操作手段は、互いに異なる特定の発信先に対して電話の発呼を指示する電話発呼開始用に予め割り当てられた複数のキーを有することを特徴とするものである。
また、請求項３の発明は、請求項１又は２の外部リモート装置において、上記操作手段のキーは、上記コンテンツ再生信号の出力に関する再生出力制御指示と上記電話の発呼指示とに兼用され、該再生出力制御指示と該発呼指示との間で該キーに対する操作内容を異ならせたことを特徴とするものである。
また、請求項４の発明は、移動体通信ネットワークを介して通信可能な移動体通信端末と、該移動体通信端末とは別体の外部リモート装置との間の通信方法であって、該移動体通信端末及び該外部リモート装置が、それらの間の通信を行うための近距離用非公衆無線通信の通信リンクを確立するステップと、該移動体通信端末が、オーディオ又はビデオのコンテンツのデータを連続的に再生処理してコンテンツ再生信号を生成し、該外部リモート装置に該コンテンツ再生信号を連続的に送信するステップと、該外部リモート装置が、該移動体通信端末から該コンテンツ再生信号を連続的に受信して出力するステップと、該コンテンツ再生信号の送受信を継続した状態で、該外部リモート装置に設けられた電話発呼開始用のキーが操作されたとき、該外部リモート装置が、該電話発呼開始用のキーに割り当てられた特定の発信先を指定する発信先指定情報とともに発呼要求を該移動体通信端末へ送信するステップと、該移動体通信端末が、該外部リモート装置から該発信先指定情報とともに発呼要求を受信したとき、該発信先指定情報で指定された発信先に対して電話の発呼を行うステップとを有することを特徴とするものである。
【０００６】
なお、上記「近距離用非公衆無線通信」としては、ブルートゥース（Bluetooth：登録商標）と呼ばれる技術仕様に準拠した無線通信等の電波を用いた無線通信や、ＩＥＥＥ８０２．１１で規格された無線通信のほか、ＩｒＤＡ（Infrared Data Association）と呼ばれる技術仕様に準拠した赤外線通信のように赤外線などの光を用いた無線通信が挙げられる。
上記移動体通信端末から外部リモート装置へ送信する「オーディオ又はビデオのコンテンツ」としては、音楽、ゲーム音、朗読等の音情報を有するオーディオのコンテンツほか、動画、ゲーム画像等の時間経過とともに変化する画像情報を有するビデオのコンテンツが挙げられる。ビデオのコンテンツは、上記音楽、ゲーム音、朗読等の音情報を一緒に有するものであってもよい。
また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone Service）、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記移動体通信端末及び上記外部リモート装置における制御や情報処理は、その移動体通信端末及び外部リモート装置それぞれに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【０００７】
請求項１乃至４の発明によれば、移動体通信端末と、その移動体通信端末とは別体の外部リモート装置との間で近距離用非公衆無線通信の通信リンクを確立する。そして、移動体通信端末は、オーディオ又はビデオのコンテンツのデータを連続的に再生処理して生成したコンテンツ再生信号を外部リモート装置に連続的に送信する。この移動体通信端末からのコンテンツ再生信号を外部リモート装置で連続的に受信して出力することにより、ユーザは外部リモート装置側でオーディオ又はビデオのコンテンツを楽しむことができる。
しかも、移動体通信端末から外部リモート装置にコンテンツ再生信号を連続的に送信している状態で、特定の発信先に対して電話の発呼を行うときには、外部リモート装置に設けられた所定の電話発呼開始用のキーを利用者が操作する。すなわち、特定の発信先に対する電話の発呼を指示する電話発呼開始用に予め割り当てられた電話発呼開始用のキーを利用者が操作する。この操作により、外部リモート装置は、その電話発呼開始用のキーに割り当てられた特定の発信先を指定する発信先指定情報とともに発呼要求を移動体通信端末へ送信する。これらの発信先指定情報及び発呼要求を受信した移動体通信端末が、発信先指定情報で指定された発信先に対して電話の発呼を行う。このように、外部リモート装置で発信先を選択する操作や発信先の情報を入力する操作を行うことなく、外部リモート装置の電話発呼開始用のキーを操作するという簡易なキー操作によって特定の発信先に移動体通信端末から電話の発呼ができるという効果がある。
特に、請求項２の発明によれば、互いに異なる特定の発信先に対して電話の発呼を指示する電話発呼開始用に予め割り当てられた複数のキーのいずれかを操作することにより、複数の特定の発信先のいずれかに対する選択的な電話の発呼が可能になるという効果がある。
また特に、請求項３の発明によれば、操作手段のキーを、コンテンツ再生信号の出力に関する再生出力制御指示と電話の発呼指示とに兼用することにより、操作手段のキーの数を抑えて操作手段を簡易に構成し、外部リモート装置の小型化を図ることができる。しかも、上記再生出力制御指示と上記発呼指示との間でキーに対する操作内容を異ならせることにより、上記再生出力制御指示及び上記発呼指示の選択的な指示を利用者が確実に行うことができるという効果がある。
【発明を実施するための最良の形態】
【０００８】
以下、本発明を移動体通信端末としての携帯電話機を用いた携帯電話システムに適用した実施形態について説明する。
本実施形態に係る携帯電話システムは、携帯電話機１０と、その携帯電話機１０と間で近距離用非公衆無線通信により通信可能な外部リモート装置２０とを組み合わせたものである。この近距離用非公衆無線通信は、ブルートゥース（Bluetooth：登録商標）と呼ばれる技術仕様に準拠した無線通信であり、２．４ＧＨｚのＩＳＭ（Industry Science Medical）帯域でスペクトラム拡散方式によって変調された無線電波を用いる。この無線通信を用いると、１０ｍ程度離れた機器間において障害物があっても１Ｍｂｐｓ又は２Ｍｂｐｓ程度の通信速度でノイズや干渉に強い通信を行なうことができる。
【０００９】
携帯電話機１０及び外部リモート装置２０は、両者の間で上記無線通信の通信リンクを確立した状態で、複数種類のプロファイルによるデータの送受信を行うことができる。各プロファイルはそれぞれ、特定用途のアプリケーションごとに通信インターフェースを実現するための通信プロトコルやデータフォーマットを規定したものである。
オーディオのコンテンツのデータから生成したオーディオストリーム信号（コンテンツ再生信号）を送受信するためのプロファイルとしては、Ａ２ＤＰ（Advanced Audio Distribution Profile）がある。このＡ２ＤＰは、オーディオのコンテンツ送受信用通信プロトコルが規定されており、非同期伝送チャネル（ＡＣＬ）上で高品質のモノラル又はステレオのオーディオコンテンツをストリーミング伝送して配信するときに用いられる。
【００１０】
また、本実施形態の携帯電話システムでは、通話用のプロファイルとして、ＨＳＰ（Head Set Profile）やＨＦＰ（Hands Free Profile）を使用することができる。ＨＳＰは、携帯電話機とヘッドセットからなる外部リモート装置との間のケーブルを介した通話用通信を無線化するためのプロファイルである。ＨＦＰは、携帯電話機と通信可能な外部リモート装置を操作して電話の発着呼処理し、外部リモート装置からハンズフリー状態で通話できるようにするためのプロファイルである。このＨＦＰによる接続には、音声通話に関する操作を行うためのサービスレベルの接続と、音声信号のデータをやり取りするための接続とがある。
【００１１】
また、本実施形態の携帯電話システムでは、携帯電話機１０にあるコンテンツ以外の出力情報を外部リモート装置２０へ送信して出力できるようにしている。この出力情報としては、着信した電話の発信元の情報、受信したメールの発信元のアドレスや氏名及びメールの件名の情報、電波（電界強度）状況の情報、電池残量の情報等がある。かかる出力情報を携帯電話機１０から外部リモート装置２０へ送信するときのプロファイルの候補としては、次の（１）〜（４）のようなプロファイルがある。
【００１２】
（１）ＬＡＰ（LAN Access Profile）：
このプロファイルは、２つの機器間でＩＰ（Internet Protocol）接続（セッション）を張って、ＩＰ上でデータ送受信を行うためのプロファイルである。但し、ＩＰ接続（セッション）を張ることは負荷が高く、携帯電話機１０と外部リモート装置２０との間の通信で使用するのには不向きであると考えられる。
【００１３】
（２）ＳＰＰ（Serial Port Profile）：
このプロファイルは、２つの機器間でシリアル接続を張って、シリアル通信を行うためのプロファイルであり、携帯電話機１０でＳＰＰ接続を通してＡＴコマンドを送受信するのに使われている。上記出力情報を送受信するための手順を追加規定することにより、上記出力情報の送受信に兼用することができる。
【００１４】
（３）ＯＰＰ（Object Push Profile）：
このプロファイルは、２つの機器間で、あるオブジェクト単位でプッシュ・プルするものである。一般的には、携帯電話機同士で名刺交換したりアドレス帳を送ったりする用途に使われる。上記出力情報を送受信する内容のフォーマットを追加規定することにより、上記出力情報の送受信に兼用することができる。
【００１５】
（４）ＡＶＲＣＰ（Audio/Video Remote Control Profile）：
このプロファイルは、オーディオ・ビジュアル機器をリモート制御するためのプロファイルプロファイルであり、上記Ａ２ＤＰのコンテンツ送受信用通信プロトコルと並列処理可能なリモート制御用通信プロトコルが規定されている。このプロファイルは、例えば、オーディオコンテンツの再生の中止、一時停止、再開、先送り、逆送りなどの制御データを、外部リモート装置２０から携帯電話機１０へ送信するときに使用される。
【００１６】
本実施形態では、上記（１）〜（４）の複数のプロファイルのうち、追加規定などが不要であって上記出力情報の設定が可能なコマンドデータが用意されているＡＶＲＣＰ（Audio/Video Remote Control Profile）を、上記出力情報の送受信に兼用している。具体的には、上記ＡＶＲＣＰのコマンド送受信の一つである「VENDOR DEPENDENT」と呼ばれる制御コマンドデータを使用する。この出力情報を送受信するときの制御コマンドデータのデータフォーマットについては後述する。
【００１７】
図１は本実施形態に係る携帯電話機１０と外部リモート装置２０とを組み合わせた携帯電話システムの一構成例を示したブロック図である。また、図２は携帯電話機１０及び外部リモート装置２０の外観図である。携帯電話機１０は、外部リモート装置２０との間の通信リンクが確立されユーザが直接操作する必要がないとき、かばんの中などのじゃまにならないところに入れておくことができる。一方、外部リモート装置２０は、ヘッドホンのケーブルが届く範囲内でユーザが操作しやすい位置に固定しておくことができるように構成されている。例えば、外部リモート装置２０は、ユーザの服にピン留めしたり、ベルトやひも等を使ってユーザの首から下げたりできるように構成されている。
【００１８】
本実施形態の携帯電話機１０は、ヒンジ部１００を中心にして互いに揺動可能な本体部１０１と蓋部１０２とから成るクラムシェル（折り畳み）タイプの携帯電話機である。この携帯電話機１０は、制御手段としての主制御部１２０と、記憶手段としての内部メモリ１２１と、携帯電話通信網（公衆通信網）を介した通信用の通信手段としての無線通信部１２２及びアンテナ１１１とを備えている。更に、携帯電話機１０は、近距離用非公衆無線通信用の通信インターフェース手段としての通信インターフェース部１２７及びアンテナ１２８を備えている。
【００１９】
上記主制御部１２０は、例えばＣＰＵ、キャッシュメモリ、ＲＯＭ、システムバス等で構成され、所定の制御プログラムを実行することにより、内部メモリ１２１や無線通信部１２２等の各部との間でデータの送受信を行ったり、各部を制御したりする。この主制御部１２０には、音声処理部１２３を介してマイク１０８及びスピーカ１０９が接続され、画像処理部１２４を介して表示部１２５が接続されている。更に、主制御部１２０にはキー操作部１２６も接続されている。
【００２０】
なお、上記スピーカ１０９は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
また、上記スピーカ１０９のほかイヤホン接続端子１１３も設けられ、イヤホンケーブルを接続できるようになっている。そして、音楽などのコンテンツを、スピーカ１０９及びイヤホンの両方から出力したりイヤホンのみから出力したりすることができる。
【００２１】
また、上記主制御部１２０は、コンテンツ再生信号生成手段としても用いられる。この場合、主制御部１２０は、内部メモリ１２１に記憶している音楽やゲーム音等のオーディオコンテンツのデータを読み出し、必要に応じて復号化処理を行う。そして、オーディオコンテンツのデータを連続的に再生処理（エンコード処理）してオーディオストリーム信号（コンテンツ再生信号）を生成する。この主制御部１２０で生成されたオーディオストリーム信号が、外部リモート装置２０へ送信される。
【００２２】
上記表示部１２５は蓋部１０２側に設けられ、液晶ディスプレイ１１０等を用いて構成されている。この表示部１２５には、文字や画像等の各種情報が表示される。
【００２３】
上記キー操作部１２６は、データ入力キー１０３（テンキー、＊キー、＃キー）、通話開始キー１０４、終話キー１０５、スクロールキー１０６、多機能キー１０７等を備えている。このキー操作部１２６は、電話の発信や着信のほか、表示部１２５に表示される情報のスクロール、データ入力、メニュー選択等に用いられる。
【００２４】
上記内部メモリ１２１は、例えばＲＡＭやＲＯＭなどの半導体メモリで構成され、主制御部１２０で実行する制御プログラムや各種データを記憶するものである。また、この内部メモリ１２１は、情報提供サイトなどからダウンロードした画像、音楽、プログラム等のコンテンツのデータを記憶するコンテンツデータ記憶手段としても用いられる。更に、この内部メモリ１２１は、スピーカ１０９から出力する音のデータ、表示部１２５に表示する画像データ等を記憶する記憶手段としても用いられる。
【００２５】
上記無線通信部１２２は主制御部１２０で制御され、アンテナ１１１を介して、所定の通信方式により移動体通信ネットワークとしての携帯電話通信網の基地局との間で無線通信を行うものである。この無線通信により、特定の携帯電話機等との間で音声電話通信を行ったり、電子メールの送受信や情報提供サイトからのコンテンツダウンロード等のデータ通信を行ったりすることができる。
【００２６】
上記通信インターフェース部１２７は主制御部１２０で制御され、外部リモート装置２０との間で近距離用非公衆無線通信であるBluetooth（登録商標）の通信リンクを確立して通信を行う。また、この通信インターフェース部１２７は主制御部１２０で制御され、次のような信号、情報及びデータを外部リモート装置２０との間で送受信する。すなわち、コンテンツ送受信用通信プロトコルが規定されたプロファイル（Ａ２ＤＰ）を用いて外部リモート装置２０にコンテンツのオーディオストリーム信号を連続的に送信する。また、コンテンツ送受信用通信プロトコルと並列処理可能な他のリモート制御用通信プロトコルが規定されたプロファイル（ＡＶＲＣＰ）を用いて、コンテンツのデータの再生処理に関する制御コマンドデータを外部リモート装置２０から受信する。この制御コマンドデータを通信インターフェース部１２７から受けた主制御部１２０は、コンテンツの再生処理の中止、一旦停止、再開、先送り、逆送り等の制御を実行する。更に、通信インターフェース部１２７は主制御部１２０で制御され、リモート制御用通信プロトコルが規定されたプロファイル（ＡＶＲＣＰ）を用いて、電話の発信元情報、メールの発信元のアドレスや件名などの出力情報のデータを外部リモート装置２０に送信する。
なお、本実施形態では、上記通信インターフェース部１２７及びアンテナ１２８を一体的に構成した通信モジュール１１２を着脱可能に設けている。
【００２７】
図１及び図２において、外部リモート装置２０の本体部分２０ａは、制御手段としての主制御部２１０と、記憶手段としての内部メモリ２２１と、通信インターフェース手段としての通信インターフェース部２２２及びアンテナ２２３と、出力インターフェース部２２４と、情報出力手段としての表示部２２５と、キー操作部２２６とを備えている。この外部リモート装置２０は図示しない電池を電源として動作するように構成されている。
また、上記出力インターフェース部２２４と音出力手段としてのヘッドホン２４０とそれらを結ぶケーブル２３０とにより、携帯電話機１０から受信したコンテンツを出力するコンテンツ出力手段が構成されている。なお、ヘッドホン２４０の代わりにイヤホンを用いてもよい。
【００２８】
また、外部リモート装置２０は、電話の通話などに用いる音声入力手段としてのマイク２５０を有している。このマイク２５０は、利用者の音声を受ける音声検知部の位置と利用者の口の位置との間の調整して利用者の音声を効率的に且つ選択的に受けられるように、図１及び２に示すようにヘッドホン２４０に可動式のアーム２５１からなる連結部材の先端部に設けられている。なお、電話の通話時の音声入力を携帯電話機１０側のマイクを用いる場合は、外部リモート装置２０側にマイク等の音声入力手段を設けなくてもよい。
【００２９】
上記マイク２５０は、図１及び２に示す位置に設けるほか、図３（ａ）に示すようにケーブル２３０の途中に設けたり、図３（ｂ）に示すように外部リモート装置の本体部分２０ａに設けたりしてもよい。これらの図３（ａ）及び（ｂ）に示す構成の場合は、上記アーム等が不要になるため、ヘッドホン２４０の部分の取扱いが楽になり、またマイクが目立たなくなるためヘッドホン２４０の部分のデザインがシンプルになる。
【００３０】
また、外部リモート装置２０の本体部分２０ａには、衣服などへ簡易に装着できるようにクリップ等の装着具を設けてもよい。また、外部リモート装置２０は、ケーブル２３０を用いずに本体部分２０ａとヘッドホン２４０とが一体的な構造体をなすようなヘッドセットとして構成してもよい。例えば、ヘッドホン２４０の利用者の耳に対向する左右の音出力部のいずれか一方に、本体部分２０ａを一体的に設ける。このように一体的な構造体をなすようなヘッドセットとして構成した場合は、ケーブルの引き回しや本体部分の固定等を考慮する必要がなく、外部リモート装置２０の取扱いが楽になる。
【００３１】
上記主制御部２１０は、例えばＣＰＵ、キャッシュメモリ、ＲＯＭ、システムバス等で構成され、所定の制御プログラムを実行することにより、内部メモリ２２１や通信インターフェース部２２２等の各部との間でデータの送受信を行ったり、各部を制御したりする。この主制御部２１０には表示部２２５やキー操作部２２６が接続されている。
【００３２】
また、主制御部２１０は、携帯電話機１０から受信した音楽やゲーム音等のコンテンツのオーディオストリーム信号（デジタル信号）を出力インターフェース部２２４に転送する。このオーディオストリーム信号は、主制御部２１０又は出力インターフェース部２２４においてデコード処理されて所定のオーディオ出力信号（アナログ信号）に変換される。このオーディオ出力信号は、出力インターフェース部２２４で所定の強度に増幅された後、ケーブル２３０を介してヘッドホン２４０に送られる。
【００３３】
上記表示部２２５は液晶ディスプレイ等を用いて構成され、携帯電話機１０から受信した音楽等のコンテンツに関する曲名などの情報のほか、電話の発信元情報、メールの発信元のアドレスや件名などの出力情報が表示される。
【００３４】
上記キー操作部２２６は複数のキーで構成され、ストリーミングコンテンツの出力の中止、一旦停止、再開、先送り、逆送りなどの指示や、表示部２２５に表示される情報のスクロール、データ入力、メニュー選択等に用いられる。
【００３５】
また、上記キー操作部２２６は複数のキーは、上記コンテンツ再生信号の出力に関する再生出力制御指示に用いられるほか、上記電話の発着呼用の通話開始指示にも兼用されている。例えば、上記キー操作部２２６を構成する複数のキーのうち一つのキー２２６ａは、電話着信時の電話の着呼用の通話開始キーとしても割り当てられている。オーディオ又はビデオの再生中に着信通知を受けたとき、利用者が通話開始キー２２６ａを操作することにより携帯電話機１０にかかってきた電話を受けることができる。また、キー操作部２２６を構成する複数のキー２２６ａ〜２２６ｃは、携帯電話機１０を経由して特定の発信先に電話の発呼を行うときの通話開始用キーとしても割り当てられている。この場合、キー２２６ａ〜２２６ｃに対応する発信先としては、例えばよく電話をする家族や友人など発信先と割り当てることができる。また、各キー２２６ａ〜２２６ｃに対応する発信先は互いに異なる発信先を割り当ててもいいし、同一の発信先を割り当てておいてもよい。この各キーに対する発信先の割り当てに関する情報は、例えばキーの識別情報と発信先の識別情報との対応データとして、外部リモート装置２０の内部メモリ２２１や携帯電話機１０の内部メモリ１２１等に保存される。ここで、外部リモート装置２０の内部メモリ２２１に保存されている場合は、利用者が操作したキーに対応する発信先の識別情報が、発呼開始操作をした外部リモート装置２０から携帯電話機１０へ発信先指定情報として送信される。一方、携帯電話機１０の内部メモリ１２１等に保存されている場合は、利用者が操作したキーの識別情報が、発呼開始操作をした外部リモート装置２０から携帯電話機１０へ発信先指定情報として送信され、携帯電話機１０においてキーの識別情報に基づいて発信先が特定される。
【００３６】
また、上記キー操作部２２６の構成を簡易して外部リモート装置２０の小型化を図るために、キー操作部２２６の各キーは、ストリーミングコンテンツの再生出力制御指示と上記電話の発着呼用の通話開始指示とに兼用されている。そのため、上記再生出力制御指示及び上記発呼指示の選択的な指示を利用者が確実に行うことができるように、再生出力制御指示と発呼指示との間でキーに対する操作内容を異ならせる必要がある。例えば、各キーを利用者が通常の押下時間だけ押下する操作を行った場合には、ストリーミングコンテンツの再生出力制御を行うようにし、同じキーを利用者が上記通常の押下時間よりも長い時間押下する長押し操作を行った場合には、上記電話の発着呼を行うように、主制御部２１０で制御する。なお、上記再生出力制御指示と上記発呼指示との間で異ならせるキーに対する操作内容は、上記キーの連続押下時間に限定されるものではなく、例えば所定時間間隔で連続的に押下する複数の押下の回数であってもよい。
【００３７】
上記内部メモリ２２１は、例えばＲＡＭやＲＯＭなどの半導体メモリで構成され、主制御部２１０で実行する制御プログラムや各種データを記憶するものである。
【００３８】
上記通信インターフェース部２２２は主制御部２１０で制御され、携帯電話機１０との間で近距離用非公衆無線通信であるBluetooth（登録商標）の通信リンクを確立して通信を行う。
また、この通信インターフェース部２２２は主制御部２１０で制御され、次のような信号、情報及びデータを携帯電話機１０との間で送受信する。すなわち、通信インターフェース部２２２は、コンテンツ送受信用通信プロトコルが規定されたプロファイル（Ａ２ＤＰ）を用いて携帯電話機１０からオーディオストリーム信号のデータを連続的に受信する。また、通信インターフェース部２２２は、コンテンツ送受信用通信プロトコルと並列処理可能な他のリモート制御用通信プロトコルが規定されたプロファイル（ＡＶＲＣＰ）を用いて、コンテンツのデータの再生処理に関する制御コマンドデータを携帯電話機１０に送信する。
更に、通信インターフェース部２２２は主制御部２１０で制御され、リモート制御用通信プロトコルが規定されたプロファイル（ＡＶＲＣＰ）を用いて、各種出力情報のデータを携帯電話機１０から受信する。例えば、携帯電話機１０が着信した電話の発信元情報、携帯電話機１０が受信したメールの発信元のアドレスや件名などの出力情報のデータを携帯電話機１０から受信する。これらの出力情報が表示部２２５に優先的に表示される。
【００３９】
なお、上記出力情報を受信して表示部２２５に表示するとき、情報の種類に応じて予め設定しておいた音信号を必要に応じてコンテンツのオーディオ出力信号（アナログ信号）に重畳させてヘッドホン２４０から出力し、上記出力情報の受信をユーザに通知するようにしてもよい。
また、上記出力情報を受信して表示部２２５に表示するとき、ヘッドホン２４０から出力している音楽などのオーディオ出力の音量を低くしてもよい。この音量の低下によって上記出力情報の受信をユーザに通知することができる。
【００４０】
上記コンテンツ以外の出力情報としては、次の（１）〜（１２）のような各種の情報を携帯電話機１０から外部リモート装置２０に送信して外部リモート装置２０の表示部２２５に表示・出力することができる。
（１）電話着信（音声着信）に関する情報：
電話着信（音声着信）の際、電話帳に登録されている場合は発信元の名前を表示する。なお、電話帳に登録されていない場合は電話番号を表示し、非通知の場合は「非通知設定」と表示する。また、不在着信時は不在着信ピクトを表示する。但し、オーディオプレーヤーをＯＦＦ／ＯＮした場合は、上記出力情報の表示状態を維持しなくてもよい。
（２）メール着信に関する情報：
メール着信時は未読ピクトを表示部２２５に表示すると同時に、電話帳に登録されている場合は送信元の名前を表示する。なお、電話帳に登録されていない場合は、送信元のアドレスを表示する。ただし、オーディオプレーヤーをＯＦＦ／ＯＮした場合は、上記出力情報の表示状態を維持しなくてもよい。
（３）イヤホン切換え設定に関する情報：
携帯電話機１０で設定している「スピーカ＋イヤホン」もしくは、「イヤホンのみ」の設定内容を表示することができる。
（４）着信優先設定に関する情報：
携帯電話機１０で設定しているイヤホンへの着信通知ついて、「着信優先」、「着信通知」の設定内容を表示することができる。
（５）オーディオプレーヤーに関する情報：
携帯電話機１０で起動しているオーディオプレーヤーの情報については、タイトルの表示、曲番、再生時間を表示することができる。
（６）情報配信サーバからの情報着信に関する情報：
携帯電話通信網等にある情報配信サーバから配信情報を受信したときは未読ピクトを表示部２２５に表示することができる。
（７）Ｗｅｂ着信に関する情報：
携帯電話通信網やインターネット等にあるＷｅｂサーバからＷｅｂページなどのＷｅｂ情報を受信したときは未読ピクトを表示部２２５に表示することができる。
（８）時刻情報：
現在時刻を表示部２２５に表示することができる。なお、この時刻の表示内容は携帯電話機１０の時刻設定と同期させる。これらの情報は、キャラクタ表示コマンドを使用して表示する。
（９）電池残量に関する情報：
携帯電話機１０の電池残量を表示部２２５に表示することができる。なお、この電池残量の表示内容は携帯電話機１０の表示部１２５における電池残量表示と同期させる。
（１０）電波状況（電界強度）や天気に関する情報：
携帯電話機１０における電波状況（電界強度）や天気の情報を表示部２２５に表示することができる。なお、この電波状況（電界強度）及び天気の表示内容は携帯電話機１０の表示部１２５における電界強度表示及び天気の表示内容と同期させる。
（１１）お知らせに関する情報：
携帯電話機１０の表示部１２５において未読ピクトを表示する情報に対して、お知らせ表示ピクトを表示部２２５に表示することができる。なお、このお知らせ表示ピクトを表示するタイミングは、携帯電話機１０の表示部１２５上でのピクト表示と同様とする。
（１２）キャラクタ表示に関する情報：
携帯電話機１０からの指示により、ピクト表示以外の文字列の情報を表示部２２５に表示することができる。これらの文字列の情報は、キャラクタ表示コマンドを使用して表示する。
【００４１】
また、本実施形態の外部リモート装置２０は、上記（１）〜（１２）の出力情報に加えて次に挙げる項目（外部リモート装置の電池残量、Bluetooth（登録商標）無線通信の電界強度）も表示することができる。
・外部リモート装置の電池残量：
外部リモート装置２０内で用いられている電池の残量を表示することができる。この電池残量の情報は、外部リモート装置２０側で取得される情報であり、携帯電話機１０から外部リモート装置２０へ送信されたものではない。
・Bluetooth（登録商標）無線通信の電界強度：
Bluetooth（登録商標）無線通信で使用している電波の電界強度を表示することができる。この電波強度の情報も、外部リモート装置２０側で取得される情報であり、携帯電話機１０から外部リモート装置２０へ送信されたものではない。
【００４２】
図４は、携帯電話機１０と外部リモート装置２０との間でBluetooth（登録商標）無線通信の通信リンクを確立するときの処理の一例を示すシーケンス図である。なお、通信リンク確立のための接続開始処理は、図４の例のように携帯電話機１０側から行うようにしてもいいし、外部リモート装置２０側から行うようにしてもよい。また、下記の周辺機器問い合せ（Inquiry）やサービス検索は、必要な情報が予めわかっていれば省略してもよい。
【００４３】
図４において、まず、携帯電話機１０でリモート出力モードが選択されている状態で「オーディオプレーヤー」や「ゲーム」のソフトを起動すると、携帯電話機１０は、周辺機器を検索するための周辺機器問い合せ（Inquiry）を送信し、周辺のBluetooth（登録商標）対応の機器に呼びかける（ステップＳ１）。外部リモート装置２０は、周辺機器問い合せ（Inquiry）に応答可能なInquiry scan状態で待ち受けており、上記携帯電話機１０からの周辺機器問い合せ（Inquiry）に対して、Bluetooth（登録商標）デバイスアドレス（BD_ADDR）とともに回答（Response）を返す（ステップＳ２）。
【００４４】
次に、携帯電話機１０は、外部リモート装置２０に対して、対応しているサービスの検索を行う（ステップＳ３）。外部リモート装置２０は、携帯電話機１０からのサービス検索に対する回答として、外部リモート装置２０がサポートしているサービスの情報を返す（ステップＳ４）。ここでは、サポートサービス情報として、サポートしているプロファイル名（Ａ２ＤＰ，ＡＶＲＣＰ，ＨＦＰ，ＨＳＰ）を返している。
【００４５】
次に、携帯電話機１０は、外部リモート装置２０に対して、リモート通話用のＨＦＰのサービスレベルの接続を要求する接続要求を送信する（ステップＳ５）。外部リモート装置２０は、上記接続要求に対するレスポンスを返信する（ステップＳ６）。このＨＦＰのサービスレベルの接続は、外部リモート装置２０から音声通話に関する操作を行うための接続である。
【００４６】
次に、携帯電話機１０は、外部リモート装置２０に対して、音楽等のオーディオコンテンツを再生処理して生成したオーディオストリーム信号（コンテンツ再生信号）を送受信するためのＡ２ＤＰ接続を要求する接続要求を送信する（ステップＳ７）。外部リモート装置２０は、上記接続要求に対するレスポンスを返信する（ステップＳ８）。
【００４７】
次に、携帯電話機１０は、外部リモート装置２０に対して、オーディオコンテンツのデータの再生処理をリモート制御するためのＡＶＲＣＰ接続を要求する接続要求を送信する（ステップＳ９）。外部リモート装置２０は、上記接続要求に対するレスポンスを返信する（ステップＳ１０）。
【００４８】
以上のシーケンスの後、携帯電話機１０と外部リモート装置２０との間は、次の３つのプロファイルによる接続がなされた状態になる。すなわち、オーディオストリーム信号を送受信するためのＡ２ＤＰ接続と、オーディオコンテンツのデータの再生処理をリモート制御するためのＡＶＲＣＰ接続と、電話の通話のためのＨＦＰのサービスレベル接続（制御用）とがなされた状態になる。
【００４９】
図５は、上記Ａ２ＤＰ接続、ＡＶＲＣＰ接続及びＨＦＰのサービスレベル接続がなされた後、音楽やゲーム音等のオーディオコンテンツのストリーミング伝送を実行しているときに携帯電話機１０がメールを受信したときの処理の一例を示すシーケンス図である。
まず、上記Ａ２ＤＰ接続及びＡＶＲＣＰ接続がなされた状態で（ステップＳ９）、ユーザが外部リモート装置２０のキー操作部２２６を操作し、オーディオコンテンツの再生を指示すると、外部リモート装置２０は、ＡＶＲＣＰ接続を使って再生要求を携帯電話機１０に送信する（ステップＳ１０）。携帯電話機１０は、上記再生要求に対して、ＡＶＲＣＰ接続を使って再生応答を外部リモート装置２０に返信する（ステップＳ１１）。
【００５０】
上記再生要求及び再生応答の送受信により、携帯電話機１０は、指定されたオーディオコンテンツのデータを内部メモリ１１２から読み出し、所定のオーディオストリーム信号に変換しながら、Ａ２ＤＰ接続を使ってオーディオストリーム信号を外部リモート装置２０に送信し始める（ステップＳ１２）。外部リモート装置２０は、Ａ２ＤＰ接続を使って携帯電話機１０から受信したオーディオストリーム信号（デジタル信号）を所定のオーディオ出力信号（アナログ信号）に変換し、出力インターフェース部２２４及びケーブル２３０を介してヘッドホン２４０に出力する。
【００５１】
次に、上記オーディオコンテンツのストリーミング伝送を実行しているときに、携帯電話機１０が携帯電話通信網からメール又はメール着信通知メッセージを受信すると（ステップＳ１３）と、携帯電話機１０は、ＡＶＲＣＰ接続を使って図６に示すUNIT INFOコマンドを外部リモート装置２０に送信する（ステップＳ１４）。このUNIT INFOコマンドは、機能サポート識別情報の取得要求として、外部リモート装置２０に送信される。この機能サポート識別情報は、その後に携帯電話機１０から送信される上記出力情報を受け取って表示する機能を外部リモート装置２０がサポートしているか否かを判定するための情報である。
なお、上記携帯電話機１０で受信するメールとしては、インターネット標準の電子メール、短い文字メッセージを送受信可能なショートメッセージサービス（ＳＭＳ：Short Message Service）のメール、ＳＭＳよりも文字制限が緩やかであって携帯電話通信網内で送受信されるメール等がある。更に、携帯電話機１０で受信するメールとしては、携帯電話通信網内の回線交換網を介して送受信されるメールや、携帯電話通信網内のパケット交換網を介して送受信されるメールであってもよい。
また、携帯電話機１０によるメールの受信には、携帯電話通信網のメールサーバなどで受信されたメールの一部をメール着信通知（Notification）として受信する場合も含まれる。このメール着信通知は、例えば携帯電話機と網側との間で確立される通信回線の制御チャネルを使って送受信される。
【００５２】
外部リモート装置２０は、上記UNIT INFOコマンドに対して、図７に示す上記機能サポート識別情報としての会社識別情報（Company ID）を含むUNIT INFOコマンドレスポンスを返信する（ステップＳ１５）。
通常のＡＶＲＣＰ接続では、主に外部リモート装置２０側がコマンドを送信する側（ＣＴ）であり、携帯電話機１０がコマンドを受ける側（ＴＧ）であるが、受信メール情報は携帯電話機１０がコマンドを送信する側になる。そのため、携帯電話機１０からUNIT INFOコマンドを外部リモート装置２０に送信して、会社識別情報（Company ID）を取得している。
【００５３】
次に、携帯電話機１０は、ＡＶＲＣＰ接続における制御コマンドデータの一つである図８に示すVENDOR DEPENDENTコマンドを用いて、送信元情報、件名情報及び本文情報からなる出力情報としての受信メール情報を、外部リモート装置２０に送信する（ステップＳ１６）。なお、上記件名情報及び本文情報はいずれか一方だけを受信メール情報に含めるようにしてもよい。
外部リモート装置２０は、上記受信メール情報を含むVENDOR DEPENDENTコマンドに対し、ＡＶＲＣＰ接続を用いて図９に示すVENDOR DEPENDENTコマンドレスポンスを返信する（ステップＳ１７）。その後、外部リモート装置２０は、携帯電話機１０から受信した受信メール情報を着信通知メッセージとともに表示部２２５に表示する（ステップＳ１８）。
【００５４】
なお、上記図６〜９に示す各コマンド及びコマンドレスポンスのコマンドフレームの１行は８ビット（４＋４ビット）で構成されている。また、各コマンドフレームの最大長は５１２バイトであり、このバイト長を超える場合は切り捨てられる。
【００５５】
また、前述のように、上記図５のシーケンスの例においてVENDOR DEPENDENTコマンドを発行して出力情報を送信するために、携帯電話機１０は、相手側の外部リモート装置２０が出力情報を受け取って表示できる機器であることを確認するのが好ましい。これは、上記図５のシーケンスのステップＳ１９で出力情報を送るにあたって、携帯電話機１０は、送信先の装置がこれらの情報を受け取って表示する機能をサポートしている機器かどうかを識別しておかないと、サポートしていない機器に対して無駄なコマンドを発行してしまうことになるからである。この出力情報を表示可能なデバイスであることを確認するために、上記図５のシーケンスの例では、UNIT INFOコマンドを発行して会社識別情報（Company ID＝Vendor ID）を取得している。
【００５６】
但し、上記会社識別情報（Company ID＝Vendor ID）だけでは、出力情報を表示可能な機能を有する機器であることを確認できない可能性がある。同一会社（ベンダー）から複数の製品（機器）が出されている場合には、上記会社識別情報（Company ID＝Vendor ID）を特定したとしても、その機器が出力情報を受信して表示できる機器であることが必ずしも保障されないことになってしまう。従って、この場合は、会社（ベンダー）だけでなく製品（機器）の種類まで確認するのが好ましい。会社（ベンダー）だけでなく製品（機器）の種類についても特定するためには、外部リモート装置２０のBluetooth（登録商標）デバイスアドレス（BD_ADDR）を参照する方法がある。このBD_ADDRは、「company_id」と「company_assigned」の部分により構成されているため、外部リモート装置２０のBD_ADDRを決定するときに、「company_assigned」の部分を、意図する製品（機器）に適合させることにより、上記出力情報を表示できる機能を持つ機器を確認することができるようになる。このようにBluetooth（登録商標）デバイスアドレス（BD_ADDR）を参照する場合、BD_ADDRの交換は図４のシーケンスのステップＳ２で行われており、新たにBD_ADDRを取得しなおす必要は無い。また、BD_ADDRによって出力情報を表示できるデバイスであるか否かを確認する場合には、図のシーケンスのステップＳ１７、Ｓ１８は必要なくなる。
【００５７】
図１０は、上記Ａ２ＤＰ接続、ＡＶＲＣＰ接続及びＨＦＰのサービスレベル接続がなされた後、音楽やゲーム音等のオーディオコンテンツのストリーミング伝送を実行しているときに携帯電話機１０が電話の発呼を着信したときの処理の一例を示すシーケンス図である。なお、図１０中のステップＳ９〜Ｓ１２については、前述の図５中のステップＳ９〜Ｓ１２と同様な手順であるので、説明を省略する。
【００５８】
図１０において、上記オーディオコンテンツのストリーミング伝送を実行しているときに、携帯電話機１０が携帯電話通信網から電話の発呼を受信すると（ステップＳ１３）、外部リモート装置２０に対して、音声信号のデータを送受信できるように音声接続要求を送信する（ステップＳ１４）。外部リモート装置２０は、上記接続要求に対するレスポンスを返信する（ステップＳ１５）。このシーケンスにより、携帯電話機１０と外部リモート装置２０との間は、ＨＦＰによる音声接続がなされた状態になる（ステップＳ１６）。
【００５９】
次に、携帯電話機１０は、ＡＶＲＣＰ接続を使って前述の図６に示すUNIT INFOコマンドを外部リモート装置２０に送信する（ステップＳ１７）。外部リモート装置２０は、上記UNIT INFOコマンドに対して、前述の図７に示す会社識別情報（Company ID）を含むUNIT INFOコマンドレスポンスを返信する（ステップＳ１８）。
【００６０】
次に、携帯電話機１０は、ＡＶＲＣＰ接続における制御コマンドデータの一つである図１１に示すVENDOR DEPENDENTコマンドを用いて、発信元の名前情報及び電話番号情報からなる出力情報としての着信電話情報を、外部リモート装置２０に送信する（ステップＳ１９）。
外部リモート装置２０は、上記着信電話情報を含むVENDOR DEPENDENTコマンドに対し、ＡＶＲＣＰ接続を用いて図１２に示すVENDOR DEPENDENTコマンドレスポンスを返信する（ステップＳ２０）。その後、外部リモート装置２０は、携帯電話機１０から受信した着信電話情報を着信通知メッセージとともに表示部２２５に表示する（ステップＳ２１）。
【００６１】
次に、利用者は、上記表示部２２５に表示された着信電話情報を確認し、外部リモート装置２０のキー操作部２２６にある通話開始キー２２６ａを操作（長押し押下操作）して通話開始を指示する。外部リモート装置２０は、上記利用者の通話開始操作を検知すると（ステップＳ２２）、携帯電話機１０に対して、ＨＦＰによる通話要求を送信する（ステップＳ２３）。この通話要求を受けた携帯電話機１０は、音声接続による通話可能な状態にするための処理を実行する。以上により、利用者は、音楽やゲーム音等のオーディオコンテンツを聴きながら又は当該オーディオコンテンツの音出力を一時的にミュートにした状態で、外部から携帯電話機１０に対してかかってきた電話を受けて通話することができる。
【００６２】
なお、上記図１０の例では、音楽やゲーム音等のオーディオコンテンツのストリーミング伝送を実行しているときに携帯電話機１０が受信した電話の発呼に応答して通話を開始した場合について示したが、着信通知時に限らず、ストリーミング伝送中の任意のタイミングに利用者が外部リモート装置２０の通話開始キー２２６ａを操作（長押し押下操作）して特定の相手に電話をかけるようにしてもよい。
【００６３】
図１３及び１４はそれぞれ、ストリーミング伝送中の任意のタイミングに利用者が外部リモート装置２０の通話開始キー２２６ａを操作（長押し押下操作）することにより特定の相手に対して電話を発呼するときの手順の一例を示すフローチャートである。なお、図１３及び１４中のステップＳ９〜Ｓ１２については、前述の図５中のステップＳ９〜Ｓ１２と同様な手順であるので、説明を省略する。
【００６４】
図１３の例では、上記オーディオコンテンツのストリーミング伝送を実行しているときに、外部リモート装置２０の通話開始キー２２６ａを利用者が操作（長押し押下操作）する。外部リモート装置２０は、この利用者の発呼指示操作を検知すると（ステップＳ１３）、携帯電話機１０に対して、音声信号のデータを送受信できるように音声接続要求を送信する（ステップＳ１４）。携帯電話機１０は、上記接続要求に対するレスポンスを返信する（ステップＳ１５）。このシーケンスにより、携帯電話機１０と外部リモート装置２０との間は、ＨＦＰによる音声接続がなされた状態になる（ステップＳ１６）。
次に、外部リモート装置２０は、携帯電話機１０に対して、上記通話開始キー２２６ａに割り当てられた発信先指定情報とともにＨＦＰによる発呼要求を送信する（ステップＳ１７）。この発呼要求を受けた携帯電話機１０は、発信先指定情報で指定された所定の発信先に対する発呼処理を実行する（ステップＳ１８）。携帯電話機１０は、発信先からの応答信号を受信すると（ステップＳ１９）、外部リモート装置２０に対して通話要求を送信する（ステップＳ２０）とともに、音声接続による通話可能な状態にするための処理を実行する。通話要求を受信した外部リモート装置２０は、音声接続による通話可能な状態にするための処理を実行する。以上により、利用者は、音楽やゲーム音等のオーディオコンテンツを聴きながら又は当該オーディオコンテンツの音出力を一時的にミュートにした状態で、外部の携帯電話機等の対して電話をかけて通話することができる。
【００６５】
図１４の例では、上記オーディオコンテンツのストリーミング伝送を実行しているときに、外部リモート装置２０の通話開始キー２２６ａを利用者が操作（長押し押下操作）する。外部リモート装置２０は、この利用者の発呼指示操作を検知すると（ステップＳ１３）、携帯電話機１０に対して、音声信号のデータを送受信できるように音声接続要求を送信する（ステップＳ１４）。携帯電話機１０は、上記接続要求に対するレスポンスを返信する（ステップＳ１５）。このシーケンスにより、携帯電話機１０と外部リモート装置２０との間は、ＨＦＰによる音声接続がなされた状態になる（ステップＳ１６）。
次に、前述のように携帯電話機１０と外部リモート装置２０との間で、UNIT INFOコマンド及びVENDOR DEPENDENTコマンドを送受信することにより、上記通話開始キー２２６ａに対応付けて携帯電話機１０に設定されている電話の発信先情報及び電話番号情報を外部リモート装置２０に送信する（ステップＳ１６〜Ｓ１９）。外部リモート装置２０は、携帯電話機１０から受信した発信先情報及び電話番号情報とともに発信先の確認を促すメッセージを表示部２２５に表示する（ステップＳ２０）。
次に、利用者が上記表示部２２５に表示されている発信先情報等を確認し、発呼を承諾した場合は、所定の操作部（例えば通話開始キー２２６ａ）を利用者が操作（長押し押下操作）する。外部リモート装置２０は、この利用者の発呼確認操作を検知すると（ステップＳ２１）、携帯電話機１０に対してＨＦＰによる発呼要求を送信する（ステップＳ２２）。この発呼要求を受けた携帯電話機１０は、上記利用者が確認した所定の発信先に対する発呼処理を実行する（ステップＳ２３）。携帯電話機１０は、発信先からの応答信号を受信すると（ステップＳ２４）、外部リモート装置２０に対して通話要求を送信する（ステップＳ２５）とともに、音声接続による通話可能な状態にするための処理を実行する。通話要求を受信した外部リモート装置２０は、音声接続による通話可能な状態にするための処理を実行する。以上により、利用者は、音楽やゲーム音等のオーディオコンテンツを聴きながら又は当該オーディオコンテンツの音出力を一時的にミュートにした状態で、外部の携帯電話機等の対して電話をかけて通話することができる。
【００６６】
なお、キー操作部２２６の各キー２２６ａ〜２２６ｃには互いに異なる発信先が割り当られているため、上記図１３及び１４において上記キー２２６ａ以外のキー２２６ｂ，２２６ｃを操作（長押し操作）すると、各キー２２６ｂ，２２６ｃに割り当てられている発信先に対して電話の発呼を行うことになる。
【００６７】
上記複数のキー２２６ａ〜２２６ｃそれぞれを操作したときの電話の発信先は、例えば携帯電話機１０の短縮ダイヤルに割り当てられた発信先を対応させることができる。この外部リモート装置２０側のキー２２６ａ〜２２６ｃと携帯電話機１０の短縮ダイヤルとを対応させるための情報は、例えば上記図４に示すＨＦＰのサービスレベルの接続確立のための機器間のネゴシエーション（ステップＳ５，Ｓ６）や、同図に示すＡＶＲＣＰ接続確立のための機器間のネゴシエーション（ステップＳ９，Ｓ１０）のときに相互に通知される。ここで、外部リモート装置２０側の割り当て対象のキーの数と、携帯電話機１０で設定されている短縮ダイヤルの数が異なる場合は、少ない方の数に合わせて割り当てが行われるように、外部リモート装置２０側の割り当て対象のキーに関する情報及び携帯電話機１０の短縮ダイヤルに関する情報が相互に通知される。例えば、外部リモート装置２０側の割り当て対象のキーの数が上記キー２２６ａ〜２２６ｃの３個であり、携帯電話機１０の短縮ダイヤルが４つ設定されている場合は、短縮ダイヤルの３つが上記キー２２６ａ〜２２６ｃそれぞれに割り当てられる。そして、上記キー２２６ａ〜２２６ｃのいずれかを操作（長押し操作）すると、その操作のキーイベントが携帯電話機１０に通知される。携帯電話機１０は、外部リモート装置２０で操作されたキーに割り当てられている短縮ダイヤルの電話番号に対して電話の発呼を行う。
【００６８】
また、上記図１３及び１４では、利用者が操作（長押し押下操作）したキーに割り当てられている特定の発信先に電話の発呼を行っているが、複数のキーのうち特定のキーを操作したときに、着信履歴の最後（最新）の電話番号の発信先に対して電話を発呼を行うようにしてもよい。
例えば、何らかの理由で場合に着信に応答できずに呼が切断されたとき、上記図１０や１４のシーケンスにおける外部出力情報の送受信と同様な手順により、携帯電話機１０から外部リモート装置２０に、上記呼が切断された発信者の着信電話情報や着信時刻情報等の着信履歴情報を送信する。携帯電話機１０から受信した着信履歴情報は、外部リモート装置２０の内部メモリ２２１に一旦保存され、利用者のキー操作により表示部２２５に表示される。利用者が表示部２２５に表示された着信履歴情報を確認した後、所定のキーを操作（長押し押下操作）すると、上記図１３又は１４に示したシーケンスにおける発呼の手順により、上記着信履歴にある発信者に対して電話の発呼を行うことができる。
【００６９】
また、上記図４〜図１４の例では、リモート通話用のＨＦＰのサービスレベル接続のためのシーケンスを、オーディオコンテンツのストリーミングを開始するときに実行しているが、電話着信時におけるＨＦＰによる音声接続のためのシーケンスの直前に実行してもよい。例えば、図１０の携帯電話機１０が電話の発呼を受信（ステップＳ１３）した後、音声接続要求を送信（ステップＳ１４）する前に、ＨＦＰのサービスレベル接続のためのシーケンスを実行してもよい。
また、上記ＨＦＰによる音声接続のためのシーケンスは、オーディオコンテンツのストリーミングを開始するときに実行しておいてもよい。例えば、上記ＨＦＰのサービスレベル接続のためのシーケンスを実行するときに、ＨＦＰによる音声接続のためのシーケンスも併せて実行しておいてもよい。この場合は、電話の発呼や着呼の指示操作から通話の開始までの時間が短くなる。
また、上記図４、図１０〜１４の例では、通話用のプロファイルとしてＨＦＰ（Hands Free Profile）を使用しているが、このＨＦＰの代わりにＨＳＰ（Head Set Profile）を使用してもよい。このＨＳＰを使用する場合は、上記ＨＦＰのサービスレベル接続のシーケンスの代わりに、ＨＳＰにおけるシグナル接続である非同期接続（ＡＣＬ：Asynchronous Connectionless 接続）のシーケンスを実行する。また、上記ＨＦＰの音声接続のシーケンスの代わりに、回線接続である同期接続（ＳＣＯ：Synchronous Connection Oriented 接続）のシーケンスを実行する。
【００７０】
以上、本実施形態によれば、携帯電話機１０で生成したオーディオストリーム信号（コンテンツ再生信号）をＡ２ＤＰを用いて外部リモート装置２０に連続的に送信する。この携帯電話機１０からのオーディオストリーム信号を外部リモート装置２０で連続的に受信して出力することにより、ユーザは外部リモート装置２０側でオーディオコンテンツを楽しむことができる。
しかも、携帯電話機１０から外部リモート装置２０にオーディオストリーム信号を連続的に送信している状態で、特定の発信先に対して電話の発呼を行うときには、外部リモート装置２０に設けられた所定の電話発呼開始用のキー２２６ａ〜２２６ｃを利用者が操作する。すなわち、特定の発信先に対する電話の発呼を指示する電話発呼開始用に予め割り当てられた電話発呼開始用のキー２２６ａ〜２２６ｃを利用者が操作する。この操作により、外部リモート装置２０は、その電話発呼開始用のキー２２６ａ〜２２６ｃに割り当てられた特定の発信先を指定する発信先指定情報とともに発呼要求を携帯電話機１０へ送信する。これらの発信先指定情報及び発呼要求を受信した携帯電話機１０が、発信先指定情報で指定された発信先に対して電話の発呼を行う。このように、外部リモート装置２０で発信先を選択する操作や発信先の情報を入力する操作を行うことなく、外部リモート装置２０の電話発呼開始用のキーを操作するという簡単なキー操作によって特定の発信先に携帯電話機１０から電話の発呼ができる。
また、本実施形態によれば、互いに異なる特定の発信先に対して電話の発呼を指示する電話発呼開始用に予め割り当てられた複数のキー２２６ａ〜２２６ｃのいずれかを操作することにより、複数の特定の発信先のいずれかに対する選択的な電話の発呼が可能になる。
また、本実施形態によれば、キー操作部２２６のキー２２６ａ〜２２６ｃを、オーディオストリーム信号の出力に関する再生出力制御指示と電話の発呼指示とに兼用することにより、キー操作部２２６のキーの数を抑えてキー操作部２２６を簡易に構成し、外部リモート装置２０の小型化を図ることができる。しかも、上記再生出力制御指示と上記発呼指示との間でキーに対する操作内容を異ならせることにより、上記再生出力制御指示及び上記発呼指示の選択的な指示を利用者が確実に行うことができる。
【００７１】
なお、上記実施形態では、オーディオのコンテンツのデータを連続的に再生処理して生成したオーディオストリーム信号（コンテンツ再生信号）を送受信する場合について説明したが、本発明は、ビデオのコンテンツのデータを再生処理して生成したビデオストリーム信号を送受信する場合に適用できる。ビデオのコンテンツは、動画、ゲーム画像等の時間経過とともに変化する画像情報を有するコンテンツであり、音楽、ゲーム音、朗読等の音情報を一緒に有するものであってもよい。
また、上記実施形態では、上記受信メール情報等の出力情報のデータの送受信に、携帯電話機１０におけるコンテンツの再生処理制御に用いる通信プロトコルが規定されているＡＶＲＣＰを使用しているが、他の通信プロトコルのプロファイルを使用してもよい。例えば、前述の候補として挙げたＳＰＰ（Serial Port Profile）やＯＰＰ（Object Push Profile）等のプロファイルを使用してもよい。
【図面の簡単な説明】
【００７２】
【図１】本発明の実施形態に係る携帯電話機と外部リモート装置とを組み合わせた携帯電話システムの一構成例を示したブロック図。
【図２】携帯電話機及び外部リモート装置の外観図。
【図３】（ａ）及び（ｂ）はそれぞれ変形例に係る外部リモート装置の外観図。
【図４】携帯電話機と外部リモート装置との間で無線通信リンクを確立するときの処理の一例を示すシーケンス図。
【図５】オーディオコンテンツのストリーミング伝送を実行しているときに携帯電話機がメールを受信したときの処理の一例を示すシーケンス図。
【図６】UNIT INFOコマンドのデータフォーマットの一例を示す説明図。
【図７】UNIT INFOコマンドレスポンスのデータフォーマットの一例を示す説明図。
【図８】メール受信時のVENDOR DEPENDENTコマンドのデータフォーマットの一例を示す説明図。
【図９】メール受信時のVENDOR DEPENDENTコマンドレスポンスのデータフォーマットの一例を示す説明図。
【図１０】オーディオコンテンツのストリーミング伝送を実行しているときに携帯電話機が電話を着信したときの処理の一例を示すシーケンス図。
【図１１】電話着信時のVENDOR DEPENDENTコマンドのデータフォーマットの一例を示す説明図。
【図１２】電話着信時のVENDOR DEPENDENTコマンドレスポンスのデータフォーマットの一例を示す説明図。
【図１３】オーディオコンテンツのストリーミング伝送を実行しているときに外部リモート装置から電話の発呼を行うときの処理の一例を示すシーケンス図。
【図１４】オーディオコンテンツのストリーミング伝送を実行しているときに外部リモート装置から電話の発呼を行うときの処理の一例を示すシーケンス図。
【符号の説明】
【００７３】
１０    携帯電話機
２０    外部リモート装置
１１１  アンテナ
１２０  主制御部
１２１  内部メモリ
１２２  無線通信部
１２７  通信インターフェース部
１２８  アンテナ
２１０  主制御部
２２１  内部メモリ
２２２  通信インターフェース部
２２３  アンテナ
２２４  出力インターフェース部
２２５  表示部
２２６  キー操作部
２２６ａ  通話開始キー
２３０  ケーブル
２４０  ヘッドホン
２５０  マイク
【図１】
2006050381.tif 000003
【図２】
2006050381.tif 000004
【図３】
2006050381.tif 000005
【図４】
2006050381.tif 000006
【図５】
2006050381.tif 000007
【図６】
2006050381.tif 000008
【図７】
2006050381.tif 000009
【図８】
2006050381.tif 000010
【図９】
2006050381.tif 000011
【図１０】
2006050381.tif 000012
【図１１】
2006050381.tif 000013
【図１２】
2006050381.tif 000014
【図１３】
2006050381.tif 000015
【図１４】
2006050381.tif 000016